(57)【要約】【課題】普及されている洋式トイレの美観性を重視したまま一時的に和式利用し、利用者の便秘の問題点を緩和する快便グッズを提供する。【解決手段】和式利用できる快便グッズを備える。【選択図】  図１
2004249059.tif 000002
【特許請求の範囲】
【請求項１】
洋式便器の便座シートをあけユニットの左右側面にフック状の金具をかけ、足を載せる台がついている物を特徴とする快便グッズ。
【請求項２】
洋式便器の便座シートをあけ便器本体の左右側面に足を載せる台を置いた物を特徴とする快便グッズ。
【請求項３】
足を載せる台は体重をのせて和式姿勢で排便することを特徴とする請求項１及び請求項２に記載の快便グッズ。
【請求項４】
便座シートを下ろした状態でも使用できることを特徴とする請求項１及び請求項２に記載の快便グッズ。
【発明の詳細な説明】
【０００１】
【発明の属する技術分野】本発明は、一般家庭用住居で普及されている洋式便器を和式姿勢で利用する快便グッズに関するものである。
【０００２】
【従来の技術】洋式便器は洋式利用のみ、和式便器は和式利用のみと、それぞれ本来の利用目的として使用されている。
【０００３】
【発明が解決しようとする課題】近年、日本人の生活は西洋化されトイレにしても和式から洋式へとほとんどの住居に美観性のある洋式便器が設置されている。その洋式便器の普及と共に利用者の一部が便秘になり快便できない問題があった。本発明はもう一度和式姿勢の利便性を考え普及された既存の洋式便器を利用して低価格で実用性、利便性、美観性を考えた利用者の便秘の問題点を緩和する快便グッズを提供することを目的とする。
【０００４】
【課題を解決するための手段】上記課題を解決するために、本発明においては、洋式便器の便座シートをあけユニットの左右側面にフック状の金具をかけ、足を載せる台がついている物を特徴とする快便グッズを提供する。本発明の好ましい態様においては、洋式便器の便座シートをあけ便器本体の左右側面に足を載せる台を置いた物を特徴とする。本発明の好ましい態様においては、足を載せる台は体重をのせて和式姿勢で排便することを特徴とする。本発明の好ましい態様においては、便座シートを下ろした状態でも使用できることを特徴とする快便グッズを備える。
【０００５】
【発明の実施の形態】本発明にあっては、洋式便器の便座シートをあけユニットの左右側面にフック状の金具をかけ、足を載せる台がついた物を使用する。又は、洋式便器の便座シートをあけ便器本体の左右側面に足を載せる台を置いた物を使用する。以上説明したごとく、足を載せる台は体重をのせて和式姿勢で使用でき、便座シートを下ろした状態でも使用できる。この結果、洋式トイレを一時的に和式として利用できるため美観性を保つことができる。この結果、既存の洋式トイレを利用できるため低価格で実施できる。この結果、従来の洋式便座シートの上にむりやり足を載せ破損させてしまうことを防ぎ安定感のある姿勢で排便ができる。この結果、快便グッズを使用することにより利用者の便秘を緩和することができる。
【０００６】
【実施例】本発明の第１実施例に係る快便グッズを図１に基づいて説明する。図１に示すように、便器本体Ａの便座ＢをあけユニットＣに快便グッズ１のフック部分１ａをひっかけ、踏み台部分１ｂに足を載せて和式姿勢で使用する。
【０００７】本発明の第２実施例に係る快便グッズを図２に基づいて説明する。図２に示すように、便器本体Ａの便座Ｂをあけ便器本体Ａの側面に快便グッズ２を置き足を載せて和式姿勢で使用する。
【０００８】
【発明の効果】以上説明したごとく、本発明にあっては、洋式便器の便座シートをあけユニットの左右側面にフック状の金具をかけ、足を載せる台がついた物を使用する。又は、洋式便器の便座シートをあけ便器本体の左右側面に足を載せる台を置いた物を使用する。以上説明したごとく、足を載せる台は体重をのせて和式姿勢で使用でき、便座シートを下ろした状態でも使用できる。この結果、洋式トイレを一時的に和式として利用できるため美観性を保つことができる。この結果、既存の洋式トイレを利用できるため低価格で実施できる。この結果、従来の洋式便座シートの上にむりやり足を載せ破損させてしまうことを防ぎ、安定感のある姿勢で排便ができる。この結果、快便グッズを使用することにより利用者の便秘を緩和することができる。上述のごとく、本発明により和式姿勢の利便性を考え普及された既存の洋式便器を利用して低価格で実用性、利便性、美観性を考えた快便グッズを提供できる。
【図面の簡単な説明】
【図１】本発明の第１実施例に係る便座シートを持ち上げた状態でフック状の快便グッズをひっかけた傾視図である。
【図２】本発明の第２実施例に係る便座シートを持ち上げた状態で便器本体の側面に快便グッズを置いた傾視図である。
【符号の説明】
１、２  快便グッズ
１ａ  フック部分
１ｂ  踏み台部分
Ａ    便器本体
Ｂ    便座
Ｃ    ユニット
【図１】
2004249059.tif 000003
【図２】
2004249059.tif 000004
【手続補正書】
【提出日】平成15年5月14日(2003.5.14)
【手続補正１】
【補正対象書類名】明細書
【補正対象項目名】全文
【補正方法】変更
【補正の内容】
【特許請求の範囲】
【請求項１】洋式便器の便座シートをあけユニットの左右側面にフック状の金具をかけ、足を載せる台がついている物を特徴とする快便グッズ。
【請求項２】洋式便器の便座シートをあけ便器本体の左右側面に足を載せる台と手摺りが一体化した物を特徴とする快便グッズ。
【発明の詳細な説明】
【０００１】
【発明の属する技術分野】本発明は、一般家庭用住居で普及されている洋式便器を和式姿勢で利用する快便グッズに関するものである。
【０００２】
【従来の技術】洋式便器は洋式利用のみ、和式便器は和式利用のみと、それぞれ本来の利用目的として使用されている。
【０００３】
【発明が解決しようとする課題】近年、日本人の生活は西洋化されトイレにしても和式から洋式へとほとんどの住居に美観性のある洋式便器が設置されている。その洋式便器の普及と共に利用者の一部が便秘になり快便できない問題があった。本発明はもう一度和式姿勢の利便性を考え普及された既存の洋式便器を利用して低価格で実用性、利便性、美観性を考えた利用者の便秘の問題点を緩和する快便グッズを提供することを目的とする。
【０００４】
【課題を解決するための手段】上記課題を解決するために、本発明においては、洋式便器の便座シートをあけユニットの左右側面にフック状の金具をかけ、足を載せる台がついている物を特徴とする快便グッズを提供する。本発明の好ましい態様においては、洋式便器の便座シートをあけ便器本体の左右側面に足を載せる台と手摺りが一体化した物を特徴とする。本発明の好ましい態様においては、足を載せる台は体重をのせて和式姿勢で排便することを特徴とする。本発明の好ましい態様においては、便座シートを下ろした状態でも使用できることを特徴とする快便グッズを備える。
【０００５】
【発明の実施の形態】本発明にあっては、洋式便器の便座シートをあけユニットの左右側面にフック状の金具をかけ、足を載せる台がついた物を使用する。又は、洋式便器の便座シートをあけ便器本体の左右側面に足を載せる台と手摺りが一体化した物を使用する。以上説明したごとく、足を載せる台は体重をのせて和式姿勢で使用でき、便座シートを下ろした状態でも使用できる。この結果、洋式トイレを一時的に和式として利用できるため美観性を保つことができる。この結果、既存の洋式トイレを利用できるため低価格で実施できる。この結果、従来の洋式便座シートの上にむりやり足を載せ破損させてしまうことを防ぎ安定感のある姿勢で排便ができる。この結果、快便グッズを使用することにより利用者の便秘を緩和することができる。
【０００６】
【実施例】本発明の第１実施例に係る快便グッズを図１に基づいて説明する。図１に示すように、便器本体Ａの便座ＢをあけユニットＣに快便グッズ１のフック部分１ａをひっかけ、踏み台部分１ｂに足を載せて和式姿勢で使用する。
【０００７】本発明の第２実施例に係る快便グッズを図２に基づいて説明する。図２に示すように、便器本体Ａの便座Ｂをあけ便器本体Ａの側面に快便グッズ２を置き足を載せて２ａの手摺り部分をつかむ事により安定感のある和式姿勢で使用する。
【０００８】
【発明の効果】以上説明したごとく、本発明にあっては、洋式便器の便座シートをあけユニットの左右側面にフック状の金具をかけ、足を載せる台がついた物を使用する。又は、洋式便器の便座シートをあけ便器本体の左右側面に足を載せる台と手摺りが一体化した物を使用する。以上説明したごとく、足を載せる台は体重をのせて和式姿勢で使用でき、便座シートを下ろした状態でも使用できる。この結果、洋式トイレを一時的に和式として利用できるため美観性を保つことができる。この結果、既存の洋式トイレを利用できるため低価格で実施できる。この結果、従来の洋式便座シートの上にむりやり足を載せ破損させてしまうことを防ぎ、安定感のある姿勢で排便ができる。この結果、快便グッズを使用することにより利用者の便秘を緩和することができる。上述のごとく、本発明により和式姿勢の利便性を考え普及された既存の洋式便器を利用して低価格で実用性、利便性、美観性を考えた快便グッズを提供できる。
【０００９】
【図面の簡単な説明】
【図１】本発明の第１実施例に係る便座シートを持ち上げた状態でフック状の快便グッズを設置した斜視図である。
【図２】本発明の第２実施例に係る便座シートを持ち上げた状態で便器本体の側面に快便グッズを設置した斜視図である。
【符号の説明】
１，２  快便グッズ
１ａ  フック部分
１ｂ  踏み台部分
２ａ  手摺り部分
Ａ    便器本体
Ｂ    便座
Ｃ    ユニット


【手続補正２】
【補正対象書類名】図面
【補正対象項目名】図２
【補正方法】変更
【補正の内容】
【図２】
2004249059.tif 000005